(57)【要約】【課題】留守モードにおいて家電機器を擬似的に動作させる防犯システムにおいて、留守モードの家電機器の動作タイムスケジュールの設定は、使用者にとって大変面倒であり、設定できたとしても不自然な動作となって、外部から留守であることが悟られやすい。【解決手段】ホームネットワークに接続された家電機器と、ホームネットワークに接続され、家電機器の駆動制御を行なう機能を有するホームサーバと、在宅モードと留守モードとの切り換えをホームサーバに指示する操作端末とを備え、ホームサーバは、時刻を検知する手段を備え、動作情報収集手段で収集した家電機器の動作情報とそのときの時刻を、駆動履歴として記憶する。操作端末で留守モードに切り換えられたとき、駆動履歴を統計処理演算して、家電機器ごとの駆動予定時刻と動作方法を含む動作スケジュールを作成し、動作スケジュールにしたがって、家電機器に駆動指示を出力する。【選択図】図２
2005277965.tif 000002
【特許請求の範囲】
【請求項１】
ホームネットワークに接続された家電機器と、
該ホームネットワークに接続され、該家電機器の駆動制御を行なう機能を有するホームサーバと、
少なくとも在宅モードと留守モードとの切り換えを前記ホームサーバに指示する操作端末と、
を備え、
前記ホームサーバが、
時刻を検知する手段と、
前記家電機器の動作情報を収集する動作情報収集手段と、
該動作情報収集手段で収集した動作情報とそのときの時刻を、駆動履歴として記憶する駆動履歴データメモリと、
該駆動履歴データメモリに記憶した駆動履歴を統計処理演算し、前記家電機器ごとの駆動予定時刻と動作方法を含む動作スケジュールを作成する統計処理手段と、
前記操作端末で留守モードに切り換えられたとき、前記統計処理手段で演算した処理結果に基づいて定める前記動作スケジュールにしたがって、前記家電機器に駆動指示を出力する動作手段と、
を有することを特徴とする防犯システム。
【請求項２】
前記統計処理手段が、直近の所定期間の駆動履歴に基づいて、曜日ごとの動作スケジュールを作成する請求項１記載の防犯システム。
【請求項３】
前記統計処理手段が、過去１年間またはそれ以上の期間の駆動履歴に基づいて、季節的変動予測を含む動作スケジュールを作成する請求項２記載の防犯システム。
【請求項４】
前記統計処理手段が、乱数を発生する機能を有し、該乱数にしたがって前記駆動履歴の範囲で変動する動作スケジュールを作成する請求項１記載の防犯システム。
【請求項５】
前記防犯システムが外部環境センサを備え、前記ホームサーバが該外部環境センサの検知データを取り込み、該検知データに基づいて動作スケジュールを変更する請求項１記載の防犯システム。
【請求項６】
前記外部センサが、照度計、温度計、湿度計および雨滴センサの任意の組み合わせである請求項５記載の防犯システム。
【請求項７】
前記統計処理手段で演算した結果に基づいて、前記家電機器に駆動指示を出力し、かつ、前記家電機器がマニュアルによっても駆動することを許容し、前記家電機器がマニュアルによって駆動されたとき、家宅侵入警報を出力しない防護モードを備える請求項１記載の防犯システム。
【請求項８】
前記ホームサーバが公衆電気通信回線と接続し、該公衆電気通信回線を経由するモード切換信号によって、前記在宅モードと留守モードの切り換えを行なう請求項１記載の防犯システム。
【請求項９】
前記ホームサーバが前記公衆電気通信回線を経由して、設定されている動作モードを移動端末に通信することができる請求項８記載の防犯システム。
【請求項１０】
ホームネットワークに接続され、家電機器の駆動制御を行なうホームサーバであって、
少なくとも在宅モードと留守モードとの切り換えを前記ホームサーバに指示する操作端末を備え、
前記ホームサーバが、
時刻を検知する手段と、
ホームネットワークに接続された前記家電機器の動作情報を収集する動作情報収集手段と、
該動作情報収集手段で収集した動作情報とそのときの時刻を、駆動履歴として記憶する駆動履歴データメモリと、
該駆動履歴データメモリに記憶した駆動履歴を統計処理演算し、前記家電機器ごとの駆動予定時刻と動作方法を含む動作スケジュールを作成する統計処理手段と、
前記操作端末で留守モードに切り換えられたとき、前記統計処理手段で演算した処理結果に基づいて定める前記動作スケジュールにしたがって、前記家電機器に駆動指示を出力する動作手段と、
を有することを特徴とする防犯システム用ホームサーバ。
【発明の詳細な説明】
【技術分野】
【０００１】
本発明はホームネットワークおよびホームサーバを使用する防犯システムに関する。
【背景技術】
【０００２】
従来は、家電機器をオンオフするスイッチ手段にスイッチ制御手段を備え、該スイッチ制御手段は、通常の生活パターンに合わせたタイムスケジュールが設定可能とされており、留守中、このタイムスケジュールにしたがって、家電機器をオンオフ駆動することで、留守中であるにもかかわらず、あたかも家屋内に人がいるように見せかけ、外部から留守であることを悟られにくくする方法が知られている（特許文献１参照）。
【特許文献１】特開平１０−２８４２６２号公報
【発明の開示】
【発明が解決しようとする課題】
【０００３】
しかしながら、前記タイムスケジュールの設定は、使用者にとってたいへん面倒であり、また通常の生活パターンといっても、常に意識して動作させているわけではないので、設定できたとしても不自然な動作となって、外部から悟られやすくなる可能性がある。
【０００４】
本発明はかかる課題を解決し、設定が容易でかつ自然な動作を実現するためのものである。
【課題を解決するための手段】
【０００５】
本発明の防犯システムは、ホームネットワークに接続された家電機器と、該ホームネットワークに接続され、該家電機器の駆動制御を行なう機能を有するホームサーバと、少なくとも在宅モードと留守モードとの切り換えを前記ホームサーバに指示する操作端末とを備える。前記ホームサーバは、時刻を検知する手段を有し、前記家電機器の動作情報を収集する動作情報収集手段と、該動作情報収集手段で収集した動作情報とそのときの時刻を、駆動履歴として記憶する駆動履歴データメモリと、該駆動履歴データメモリに記憶した駆動履歴を統計処理演算し、前記家電機器ごとの駆動予定時刻と動作方法を含む動作スケジュールを作成する統計処理手段と、前記操作端末で留守モードに切り換えられたとき、前記統計処理手段で演算した処理結果に基づいて定める前記動作スケジュールにしたがって、前記家電機器に駆動指示を出力する動作手段とを有する。
【０００６】
また、統計処理手段が、直近の所定期間の駆動履歴に基づいて、曜日ごとの動作スケジュールを作成する。
【０００７】
さらに、統計処理手段が、過去１年間またはそれ以上の期間の駆動履歴に基づいて、季節的変動予測を含む動作スケジュールを作成する。
【０００８】
あるいはまた、統計処理手段が、乱数を発生する機能を有し、該乱数にしたがって前記駆動履歴の範囲で変動する動作スケジュールを作成する。
【０００９】
防犯システムが外部環境センサを備え、前記ホームサーバが該外部環境センサの検知データを取り込み、該検知データに基づいて動作スケジュールを変更する。さらに、外部センサが、照度計、温度計、湿度計および雨滴センサの任意の組み合わせである。
【００１０】
統計処理手段で演算した結果に基づいて、前記家電機器に駆動指示を出力し、かつ、前記家電機器がマニュアルによっても駆動することを許容し、前記家電機器がマニュアルによって駆動されたとき、家宅侵入警報を出力しない防護モードを備える。
【００１１】
ホームサーバが公衆電気通信回線と接続し、該公衆電気通信回線を経由するモード切換信号によって、前記在宅モードと留守モードの切り換えを行なう。さらに、ホームサーバが前記公衆電気通信回線を経由して、設定されている動作モードを移動端末に通信することができる。
【発明の効果】
【００１２】
本発明によれば、日ごろの家電機器の動作に合致した動作スケジュールが、使用者の手間をかけずに作成することができる。したがって、留守であることが悟られにくく、防犯効果の高いシステムを得ることができる。
【００１３】
また、直近の動作実績に合わせた曜日ごとの動作スケジュールが作成され、より在宅時に近い現実的な動作とすることができるので、防犯効果が向上できる。
【００１４】
さらに、季節変動を織り込んだ動作スケジュールとすることができるので、1週間や１０日、あるいはそれ以上の長期不在でも現実的な動作となり、防犯効果が期待できる。
【００１５】
あるいは、動作スケジュールがランダムに変動するので、さらに留守であることが悟られにくい。
【００１６】
外部環境センサの検知データによって動作を変更することができるので、天候などに合わせてより自然な動作となり、留守であることが気づかれにくい。
【００１７】
在宅モードまたは留守モード以外に、全員が在宅しているときのような動作とすることが可能で、在宅人数が少ない場合でも、防犯効果が期待できる。
【００１８】
また、通信回線を通じて外部からモードを切り換えることができるので、留守モード設定を忘れて外出したときでも、外出先から留守モードに設定できる。特に本発明では自然な動作スケジュールが自動的に設定されるので、外部から留守モードに設定するときでも、簡単に高い防犯効果が得られる。さらに、通信回線を通じてモードを確認できるので、外出時の不安を軽減できる。
【発明を実施するための最良の形態】
【００１９】
実施の形態１
図１は、本発明にかかわる防犯システムの構成の例を示すブロック図である。各家庭におけるホームネットワークシステム１には、家庭内の家電機器５の動作情報を収集したり、家電機器５を制御したりするホームサーバ２と、該ホームサーバ２に接続するホームネットワーク３と、ホームサーバ２の操作設定を行なう操作端末４と、家電機器５とを備える。家電機器５はホームネットワーク３に接続され、ホームサーバ２によって動作制御が可能である。操作端末４はホームサーバ２にネットワークを経由して接続され、ホームサーバ２に操作設定できるように記載しているが、ホームサーバ２に直接接続されてもよい。また、ホームサーバ２は、インターネットを含む公衆電気通信回線１３を経由して、センタサーバ１４と通信することができる。
【００２０】
図２はホームサーバ２の構成例を示すブロック図である。図２において、ホームサーバ２はサーバ制御手段６と、家電機器５の駆動開始時間や駆動停止時間、駆動内容などの動作履歴情報を収集する動作情報収集手段７と、動作情報収集手段７で収集した動作履歴情報を記憶する駆動履歴データメモリ８と、駆動履歴データメモリ８に記憶した駆動履歴を統計処理する統計処理手段９と、統計処理手段９で作成された情報に基づいて各家電機器５を駆動指示する動作手段１０とを備えている。家電機器５にはたとえば、洗濯機、電子レンジ、エアコン、テレビ、ＶＴＲ、冷蔵庫、照明器具、換気扇などがある。
【００２１】
統計手段９は、操作端末４で留守モードに設定されたとき、統計処理を演算し、あらかじめ決められた条件、たとえば直近の過去1ヶ月間の曜日ごとの各家電機器５の動作履歴を統計処理し、このうち駆動回数の多いものから家電機器５の動作履歴などを、動作スケジュールとして作成する。作成された動作スケジュールは動作手段１０に提供され、動作手段１０はその動作スケジュールに基づいて各家電機器５に駆動指示を出力する。
【００２２】
センタサーバ１４は、たとえばホームサーバ２の動作情報収集手段７で収集した、動作履歴情報などの各種データの一部または全部を格納管理したり、ホームサーバ２のバージョンアッププログラムを格納管理したりするサーバである。
【００２３】
つぎに動作について、図３および図４に基づいて説明する。
【００２４】
図３は、在宅モード（通常処理）の処理を示すフローチャートである。ステップＳ３１で、ホームサーバ２は、一定周期で各家電機器５への問い合わせである機器ループ（ステップＳ３２とＳ３６のループ）を実行する。ステップＳ３３で家電機器５にホームネットワーク３を介してアクセスし、そのときの動作状態を問い合わせる。ステップＳ３４で、前回のアクセスから状態が変化したかどうか調べる。前回のアクセスから状態変化があれば、ステップＳ３５で駆動履歴データメモリ８にたとえば図５に示される情報を記憶する。状態変化がなければ、ステップＳ３５をスキップする。動作情報としては、状態変化の時刻、オンまたはオフ、駆動内容の変化、たとえば空調機の動作モードや設定温度、テレビのチャネルなどである。ステップＳ３３からステップＳ３５を各家電機器の数だけ繰り返し、各家電機器５の駆動履歴を収集する。また、ステップＳ３７の家電機器５から駆動状態が変化したことの通知を受信したときも、割り込み処理によって、駆動履歴データメモリ８に駆動履歴を記憶する（ステップＳ３８）。
【００２５】
図４は、留守モードの処理を示すフローチャートである。統計処理手段９において、駆動履歴データメモリ８内の駆動履歴を統計処理し、留守の間に駆動すべき家電機器５の動作スケジュールを作成する（ステップＳ４１）。動作スケジュールはたとえば図６に示すような情報である。動作スケジュールには、駆動制御する時刻、駆動する対象となる家電機器５、オンまたはオフ、動作の内容である。動作の内容としては、たとえば調光機能のある照明器具について調光度、テレビのチャネル、エアコンの設定温度などがある。
【００２６】
動作手段１０は動作スケジュールにしたがって、駆動制御した時刻になると、対象となる家電機器５に駆動指示を出力する。
【００２７】
すなわち、ステップＳ４３で次の操作を動作スケジュールから読み込んでセットし、ステップＳ４４でその動作時刻が到来したかどうか監視する。動作時刻になったら、ステップＳ４５でセットした機器の動作指示を出力する。この動作を動作スケジュールの項目だけ繰り返す（ステップＳ４２からステップＳ４５）。
【００２８】
このようにして、日ごろの家電機器の動作に合致した動作スケジュールを、使用者の手間をかけずに作成することができる。したがって、留守であることが悟られにくく、防犯効果の高いシステムを得ることができる。
【００２９】
本実施の形態では、統計処理を直近１ヶ月の駆動履歴にもとづいた曜日ごとのデータとしたが、さらに過去１年間以上の駆動履歴に基づいて、年間の動作パターン変動を織り込んでもよい。たとえば、１年前の同じ曜日のデータとするとしてもよいし、駆動時刻が１年を周期として変動すると仮定してフーリエ関数で近似し、直近１ヶ月の駆動履歴に基づく曜日ごとのデータを、その近似関数で外挿することなどが考えられる。
【００３０】
このように年間の変動を織り込むことによって、長期の留守でも自然な動作スケジュールとすることができる。
【００３１】
さらに、統計処理手段９において乱数を発生させ、駆動履歴の変動範囲でその乱数にしたがって動作スケジュールを変動させてもよい。このように適当に動作時刻などが変動することによって、より実際に在宅しているように見せかけることができる。
【００３２】
また、本実施の形態では操作端末４は宅内にあって、ホームサーバ２に直結またはホームネットワーク３を経由して接続しているが、ホームサーバ２に公衆電気通信回線１３との接続インタフェースを備え、公衆電気通信回線１３を経由するモード切換信号によって、前記在宅モードと留守モードの切り換えを行なうようにしてもよい。たとえば、携帯電話からダイヤルトーンを受信して、在宅モードと留守モードを切り換えるようにすることができる。留守モードに設定することを忘れて外出したときにも、外出先から設定できるので便利である。
【００３３】
さらに、公衆電気通信回線１３を経由して、設定されている動作モードを移動端末１２に通信するようにしてもよい。たとえば、音声を登録しておいて、音声によって現在の設定モードを通知することが考えられる。留守モード設定をしたかどうか定かでないとき、外出先から確認できるので、使用者の不安を解消できる。
【００３４】
なお、留守モードの動作スケジュールは、電気炊飯器、オーブンレンジおよび風呂給湯など、動作させることに危険の可能性があるものなどは除外される。駆動設定できる家電機器を選択できるようにしてもよい。たとえば、エアコンは省電力の観点から除外することを選択できてもよい。あるいは、水洗便所の擬似水流音のみ発生させることなどもオプションとして考えられる。留守モードでどの家電機器を駆動設定するかは、防犯システムの設計上の課題である。
【００３５】
本実施の形態では、駆動履歴データメモリ８、統計処理手段９などをホームサーバ２に備え、ホームサーバが動作スケジュールを作成して、それにしたがって家電機器を駆動するように記載したが、これらの機能をセンタサーバ１４が有し、センタサーバがホームサーバとして、これらの動作を行ってもよい。センタサーバ１４が駆動履歴収集、統計処理、家電機器の動作指示などを行なう場合は、ホームサーバ２はセンタサーバ１４と家電機器５との通信を仲介する、ゲートウェイとして機能する。
【００３６】
実施の形態２
図７は本発明にかかわる防犯システムの構成の別の例を示すブロック図である。
実施の形態２の特徴は、実施の形態１に加えて外部環境センサ１１を備えることである。図７では外部環境センサ１１がホームネットワーク３に接続されているが、ホームサーバ２に直接接続してもよいし、複数のセンサをまとめてデータを入力する制御装置を経由してもよい。外部環境センサ１１としては、屋外の照度計、温度計、湿度計および／または雨滴センサなどがある。
【００３７】
ホームサーバ２は外部環境センサ１１の検知データを随時取り込む。留守モードにおいて動作スケジュールを作成したのち、外部環境センサ１１の検知データによって、動作スケジュールを変更する。たとえば、照明器具のオンを照度計データが所定の値以下になったときとのＡＮＤ条件とすることや、エアコンの動作を外気温が所定値以上になったときとのＡＮＤ条件とすること、あるいは、外気温度と湿度によってエアコンの動作モードを変えることである。
【００３８】
在宅モードでは、家電機器５の動作情報を収集すると同時に、そのときの外部環境データを取り込んで、その外部環境データを駆動履歴に合わせて記憶し、外部環境データの条件を加えた動作スケジュールを作成してもよい。
【００３９】
外部環境データを留守モードの駆動条件に加えることによって、より自然な動作にすることができる。また、省エネルギー効果も期待できる。
【００４０】
実施の形態３
本実施の形態では、在宅モードと留守モードに加えて、防護モードを備える。ここでいう防護モードとは、留守モードと同様に統計処理手段９で演算した結果に基づいて、動作スケジュールを作成して、動作スケジュールにしたがって前記家電機器５に駆動指示を出力するが、家電機器５はマニュアルによっても駆動することを許容し、前記家電機器５がマニュアルによって駆動されたとき、家宅侵入警報を出力しない形態である。
【００４１】
家宅侵入警報システムでは、留守のときに家電機器５が操作されたことを検知して、自動的に警備会社に通報することが行なわれている。本発明にかかわる防犯システムでも、留守モードに設定されているときに、マニュアルで家電機器５が操作された場合にそれを検知して、警報を発するように構成することができる。しかし、在宅モードか留守モードしか選択できないと、一人でも在宅しているときには留守モードに設定できず、お年寄り一人だけで在宅しているようなときには、かえって不安でもある。
【００４２】
そこで、前記の防護モードを備えることによって、家屋内に普段の人数が在宅しているように見せかけることができるので、不安を解消できる。また、留守モードで家宅侵入警報することは可能なので、警報システムとしても支障がない。
【００４３】
防護モードにおいて、特定の家電機器がマニュアルで操作されたときや、特定区域の人感知センサが人物を検知したときに、警報を発するようにしてもよい。
【図面の簡単な説明】
【００４４】
【図１】防犯システム全体の構成を示すブロック図である。
【図２】ホームサーバの制御ブロック図である。
【図３】ホームサーバの在宅モードの動作フローチャートである。
【図４】ホームサーバの留守モードの動作フローチャートである。
【図５】駆動履歴データの例を示す図である。
【図６】留守モードの動作スケジュールの例を示す図である。
【図７】実施の形態２にかかわる防犯システム構成のブロック図である。
【符号の説明】
【００４５】
１  ホームネットワークシステム
２  ホームサーバ
３  ホームネットワーク
４  操作端末
５  家電機器
６  サーバ制御手段
７  動作情報収集手段
８  駆動履歴データメモリ
９  統計処理手段
１０  動作手段
１１  外部環境センサ
１２  移動端末
１３  公衆電気通信回線
１４  センタサーバ
【図１】
2005277965.tif 000003
【図２】
2005277965.tif 000004
【図３】
2005277965.tif 000005
【図４】
2005277965.tif 000006
【図５】
2005277965.tif 000007
【図６】
2005277965.tif 000008
【図７】
2005277965.tif 000009